(57)【要約】【課題】  バッグ本体の両側面部を上下面部と着脱可能に接続し、両側面部をコンパクトかつ容易に折り畳めるとともに、これに上下面部をコンパクトに重合して、折畳み後のコンパクト化と体裁の改善を図り、不使用時の利便性を向上できるキャリーバッグを提供すること。【解決手段】  バッグ本体２の前面部に開口部３を設ける。  前記開口部３に蓋体４を開閉可能に取付ける。  前記バッグ本体２の底面部１２にキャスター１３を取付ける。  前記バッグ本体２の左右の側面部７，８と、バッグ本体２の上面部９と底面部１２とをそれぞれ内側に折畳み、かつそれらを重合可能に設ける。  左右の側面部７，８に前記蓋体４を重合して折り畳み可能にしたキャリーバッグであること。  バッグ本体２の両側面部７，８を前記上下面部９，１２と着脱可能に接続する。【選択図】図１
2015136472.tif 000002
【特許請求の範囲】
【請求項１】
バッグ本体の前面部部に開口部を設け、該開口部に蓋体を開閉可能に取付け、前記バッグ本体の底面部にキャスターを取付けるとともに、前記バッグ本体の左右の側面部と、バッグ本体の上面部と底面部とをそれぞれ内側に折畳み、かつそれらを重合可能に設けるとともに、これらに前記蓋体を重合して折り畳み可能にしたキャリ−バッグにおいて、バッグ本体の両側面部を前記上下面部と着脱可能に接続したことを特徴とするキャリーバッグ
【請求項２】
前記バッグ本体の左右の両側面部に環状の開口部を設け、該開口部の開口縁に左右の側面板を開閉かつ折畳み可能に接続し、左右の側面板を内側に折畳み前記開口部の内側に収容した請求項１記載のキャリーバッグ。
【請求項３】
前記左右の開口部周縁にファスナーを取付け、各ファスナーに左右の側面板を折り畳み可能に接続した請求項２記載のキャリーバッグ。
【請求項４】
前記前面部部の開口部の相対向する周縁に柔軟な連結片を揺動可能に取付けた請求項１記載のキャリーバッグ。
【請求項５】
前記一方の連結片に蓋体を折畳み可能に接続した請求項１記載のキャリーバッグ。
【請求項６】
前記一方の連結片に前記ファスナーを配置した請求項３または５記載のキャリーバッグ
【請求項７】
前記他方の連結片に、前面部部の開口部周縁に取付けたファスナーと、側面部の開口部周縁に取付けたファスナーとを配置した請求項２または４記載のキャリーバッグ。
【請求項８】
前記上面部と底面部の中間部に折曲げ線を形成し、該折曲げ線を介し上面部と底面部を内外方向へ折曲げ可能にした請求項１記載のキャリーバッグ。
【請求項９】
前記底面部の折曲げ可能な外周面に一対の脚を取付けた請求項１記載のキャリーバッグ
【請求項１０】
前記バッグ本体の背面部に一対の係止突起を設け、該係止突起をキャスタ−の周面と同高面に配置した請求項１記載のキャリーバック。
【請求項１１】
前記バッグ本体の上面部にハンドルを収容可能な凹部を設けた請求項１記載のキャリーバック。
【発明の詳細な説明】
【技術分野】
【０００１】
本発明は、バッグ本体の両側面部を上下面部と着脱可能に接続し、両側面部をコンパクトかつ容易に折り畳めるとともに、これに上下面部をコンパクトに重合して、折畳み後のコンパクト化と体裁の改善を図り、不使用時の利便性を向上するようにしたキャリーバッグに関する。
【背景技術】
【０００２】
従来のキャリーバッグは、上部にハンドルを伸縮自在に取付け、底部にキャスターを取付け、移動時にハンドルを伸長し斜状に保持して引き動していた（例えば、特許文献１参照）。
しかし、この従来のキャリーバッグは、バッグ本体から収容物を取り出し後も収納時と同じ容積を維持するため、不使用時の持ち運びや保管に不便な問題があり、予てよりその改善が望まれていた。
【０００３】
このような問題の解決に応ずるものとして、バッグ本体ないしキャリーバッグを折り畳み可能にし、不使用時にはバッグ本体ないしキャリーバッグを折り畳んで持ち運びを至便にし、保管スペースを低減するようにしたものが種々提案されている。
例えば、バッグの底面に一対のキャスターと脚部材を設け、該脚部材をバッグの底面の内側に起倒可能に配置した底板の一側に取付け、使用時は底板を倒しバッグの底面に敷設して脚部材をバッグの底面に突出させ、不使用時は底板を前面部側に起立させて脚部材を水平に折畳み、バッグの底面をコンパクトに折畳むようにしたものがある（例えば、特許文献２参照）。
【０００４】
しかし、この従来のキャリーバッグは、脚部材と底板を要するうえに、キャリーバッグの容積が底板の寸法に左右され、また折畳み後のキャリーバッグの容積が脚部材の長さに制限される問題があった。
【０００５】
また、他のキャリーバッグのなかに、バッグ本体の後面部にハンドルを着脱可能に取付け、バッグ本体の左右の側面部の上下位置に凹折り代を異方向状に斜状に形成するとともに、側面部の中間位置に凸折り代を水平に形成し、また後面部の中間位置に凹折り代を水平に形成し、更にバッグ本体の前面部部の周囲にファスナーを取付けて前面部部を開閉可能に設け、バッグ本体からハンドルを取外し後、ファスナーを操作して前面部部を開放し、バッグ本体内部の下面部に縮小したハンドルを収容後、バッグ本体の上面部を下方に押し込んで、左右の側面部と後面部を凹凸の折り代に沿って折り畳み、これを下面部上に折り重ねるようにしたものがある（例えば、特許文献３参照）。
【０００６】
しかし、前記キャリーバッグは、バッグ本体の側面部を複数の凹折り代に沿って折り畳み、折り畳み後の複数の側面部を重合するため、側面部が嵩張ってコンパクト化が難しく、また左右の側面部と後面部に凹凸の折り代を反覆使用可能に明瞭に形成する必要があった。
【０００７】
そこで、前記問題を解決するものとして、バッグ本体の前部にファスナーを介して蓋体を開閉可能に取付け、バッグ本体の底面に一対のキャスターとストッパを設け、該ストッパを柔軟なストッパ取付部材の一端に取付け、該ストッパ取付部材の他端をバッグ本体の底面を形成する下側面に取付け、該下側面の一端にプレートの下端部を取付け、該プレートを起倒可能に構成し、キャリ−バッグの使用時はプレートを倒してバッグ本体の底面に敷設し、キャリーバッグの不使用時はプレートを起立し、ストッパをストッパ取付部材を介してバッグ本体の内側に収容し、これをプレート上に載置してバッグ本体の底部をコンパクト化している。
一方、バッグ本体の両側面部材の内側プレートを着脱可能に取付け、キャリーバッグの不使用時は前記両プレートを取外し、把手部を設けた一方の側面部材を内側に折畳み、次いで他方の側面部材を内側に折畳み後、バッグ本体の上側側面と下側側面をそれぞれ内側に折畳み、これらの上に蓋体を重合して開口部を閉鎖するようにしたキャリーバッグがある（例えば、特許文献４参照）。
【０００８】
しかし、前記キャリーバッグの両側面部材は、前面部の開口部を囲繞して上側側面と下側側面に連続しているため、両側面部材を折畳む際は、その上下端部が折畳まれずに起立し、この起立部に上側側面と下側側面の折畳み部の両端部が重合する結果、それらの重合部が嵩張り、これに蓋体を折畳んで重合するため、それらの折畳み作業が難しく、しかも各プレ−トの取外しを要して作業が煩雑になり、折畳み後の体裁も悪い等の問題があった
【０００９】
ところで、バッグ本体の側面に収納ポケットを設け、キャリーバッグの不使用時にキャスターと支持脚を折り畳んで収納ポケットに収容し、この後バッグ本体を折り畳み、収納ポケットの提げ手を保持して持ち運び、使用時にはバッグ本体を展開しキャスターと支持脚を取付けて使用するようにしたものや、折り畳みバッグを三つ折り可能にし、前記バッグの底面に車輪と脚部を折り畳み可能に取付け、不使用時に車輪と脚部を折り畳み、かつ折り畳みバッグを三つ折りし、前記バッグの側面に設けた把手を保持して持ち運び、使用時にはバッグ本体を展開し、キャスターと支持脚を展開して使用するようにしたものがある（例えば、特許文献５および６参照）
【００１０】
しかし、これらのキャリーバッグは不使用時にコンパクトに折り畳めるが、キャスターや支持脚を収納ポケット等に収容し、これを提げ手を保持して吊り下げて持ち運ぶため、持ち運びの労力の負担が大きく使用時の利便性に欠ける問題があって採用できない。
【先行技術文献】
【特許文献】
【００１１】
【特許文献１】特開２０１０−１６７０５０号公報
【特許文献２】実用新案登録第３０８４６５９号公報
【特許文献３】特開２００７−２８９３５１号公報
【特許文献４】特開２００６−２１８１４５号公報
【特許文献５】特開２００２−５１８１８号公報
【特許文献６】実用新案登録第３０６３１１７号公報
【発明の概要】
【発明が解決しようとする課題】
【００１２】
本発明はこのような問題を解決し、バッグ本体の両側面部を上下面部と着脱可能に接続し、両側面部をコンパクトかつ容易に折り畳めるとともに、これに上下面部をコンパクトに重合して、折畳み後のコンパクト化と体裁の改善を図り、不使用時の利便性を向上するようにしたキャリーバッグを提供することを目的とする。
【課題を解決するための手段】
【００１３】
請求項１の発明は、バッグ本体の前面部部に開口部を設け、該開口部に蓋体を開閉可能に取付け、前記バッグ本体の底面部にキャスターを取付けるとともに、前記バッグ本体の左右の側面部と、バッグ本体の上面部と底面部とをそれぞれ内側に折畳み、かつそれらを重合可能に設けるとともに、これらに前記蓋体を重合して折り畳み可能にしたキャリーバッグにおいて、バッグ本体の両側面部を前記上下面部と着脱可能に接続し、バッグ本体の不使用時の両側面部ないし両側面板の折畳み時、それらと上下面部を分離し、両側面部ないし両側面板と上下面部とを容易かつコンパクトに折り畳め、折畳み後のコンパクト化と体裁の改善を図れるとともに、両側面部ないし両側面板の装着時にそれらと上下面部を接続し、バッグ本体の使用を図るようにしている。
請求項２の発明は、バッグ本体の左右の両側面部に環状の開口部を設け、該開口部の開口縁に左右の側面板を開閉かつ折畳み可能に接続し、左右の側面板を内側に折畳み前記開口部の内側に収容して、左右の側面板を容易かつコンパクトに折り畳めるようにしている
【００１４】
請求項３の発明は、左右の開口部周縁にファスナーを取付け、各ファスナーに左右の側面板を折り畳み可能に接続し、左右の側面板を開口部周縁に簡便に着脱し得るようにしている。
請求項４の発明は、前面部部の開口部の相対向する周縁に柔軟な連結片を揺動可能に取付け、両側面板の折畳み操作と組立て操作を円滑かつ容易に行なえるようにしている。
請求項５の発明は、一方の連結片に蓋体を折畳み可能に接続し、蓋体の開閉操作を容易に行なえるようにしている。
請求項６の発明は、一方の連結片に前記ファスナーを配置し、蓋体の折畳みと側面板の着脱を行なえるようにしている。
請求項７の発明は、他方の連結片に、前面部部の開口部周縁に取付けたファスナーと、側面部の開口部周縁に取付けたファスナーとを配置し、側面板の折畳みとその着脱を行なえるようにしている。
【００１５】
請求項８の発明は、上面部と底面部の中間部に折曲げ線を形成し、該折曲げ線を介し上面部と底面部を内外方向へ折曲げ可能にし、上面部と底面部の折畳みを実現し、そのコンパクト化を図るようにしている。
請求項９の発明は、底面部の折曲げ可能な外周面に一対の脚を取付け、底面部の折畳み時に脚を底面部から移動し、底面部を容易かつコンパクトに折り畳めるようにしている。
請求項１０の発明は、バッグ本体の背面部に一対の係止突起を設け、該係止突起をキャスターの周面と同高面に配置し、バッグ本体の背面部を接地面から離間して水平に設置し、バッグ本体に収容物を出し入れする際の背面部の汚損と漏水を防止し得るようにしている。
請求項１１の発明は、バッグ本体の上面部にハンドルを収容可能な凹部を設け、バッグ本体の不使用時におけるハンドルの表出を防止して体裁を改善するようにしている。
【発明の効果】
【００１６】
請求項１の発明は、バッグ本体の両側面部を前記上下面部と着脱可能に接続したから、バッグ本体の不使用時の両側面部ないし両側面板の折畳み時、それらと上下面部を分離し、両側面部ないし両側面板と上下面部とを容易かつコンパクトに折り畳め、折畳み後のコンパクト化と体裁の改善を図ることができるとともに、両側面部ないし両側面板の装着時にそれらと上下面部を接続し、バッグ本体の使用を図ることができる。
請求項２の発明は、バッグ本体の左右の両側面部に環状の開口部を設け、該開口部の開口縁に左右の側面板を開閉かつ折畳み可能に接続し、左右の側面板を内側に折畳み前記開口部の内側に収容したから、左右の側面板を容易かつコンパクトに折り畳むことができる
【００１７】
請求項３の発明は、左右の開口部周縁にファスナーを取付け、各ファスナーに左右の側面板を折り畳み可能に接続したから、左右の側面板を開口部周縁に簡便に着脱することができる。
請求項４の発明は、前面部部の開口部の相対向する周縁に柔軟な連結片を揺動可能に取付けたから、両側面板の折畳み操作と組立て操作を円滑かつ容易に行なうことができる。
請求項５の発明は、一方の連結片に蓋体を折畳み可能に接続したから、蓋体の開閉操作を容易に行なうことができる。
請求項６の発明は、一方の連結片に前記ファスナーを配置したから、蓋体の折畳みと側面板の着脱を行なうことができる。
【００１８】
請求項７の発明は、他方の連結片に、前面部部の開口部周縁に取付けたファスナーと、側面部の開口部周縁に取付けたファスナーとを配置したから、側面板の折畳みとその着脱を行なうことができる。
請求項８の発明は、上面部と底面部の中間部に折曲げ線を形成し、該折曲げ線を介し上面部と底面部を内外方向へ折曲げ可能にしたから、上面部と底面部の折畳みを実現し、そのコンパクト化を図ることができる。
請求項９の発明は、底面部の折曲げ可能な外周面に一対の脚を取付けたから、底面部の折畳み時に脚を底面部から移動し、底面部を容易かつコンパクトに折り畳むことができる
【００１９】
請求項１０の発明は、バッグ本体の背面部に一対の係止突起を設け、該係止突起をキャスターの周面と同高面に配置したから、バッグ本体の背面部を接地面から離間して水平に設置し、バッグ本体に収容物を出し入れする際の背面部の汚損と漏水を防止することができる。
請求項１１の発明は、バッグ本体の上面部にハンドルを収容可能な凹部を設けたから、バッグ本体の不使用時におけるハンドルの表出を防止して体裁を改善することができる。
【図面の簡単な説明】
【００２０】
【図１】本発明に適用したキャリーバッグのバッグ本体の組立て状態を示す斜視図である。
【図２】（ａ）は本発明に適用したキャリーバッグの使用状況を示す正面図で、ハンドルを伸長している。（ｂ）は（ａ）の右側面図である。
【図３】本発明に適用したキャリーバッグのバッグ本体の正面図である。
【図４】本発明に適用したキャリーバッグのバッグ本体の背面図である。
【００２１】
【図５】（ａ）は本発明に適用したキャリーバッグのバッグ本体の右側面図で、収容物の出し入れ時の状況を立位姿勢で図示している。（ｂ）は本発明に適用したキャリーバッグのバッグ本体の左側面図である。
【図６】本発明に適用したキャリーバッグのバッグ本体の平面図である。
【図７】本発明に適用したキャリーバッグのバッグ本体の底面図である。
【図８】本発明に適用したキャリーバッグのバッグ本体から収容物取り出し後、両側面板の展開状態を示す斜視図である。
【００２２】
【図９】図９のＡ−Ａ線に沿う側面板の拡大断面図である。
【図１０】図９のＢ−Ｂ線に沿う蓋体の拡大断面図である。
【図１１】本発明に適用したキャリーバッグのバッグ本体から収容物取り出し後、両側面板を折り畳んでバッグ本体に収容した状況を示す斜視図である。
【図１２】本発明に適用したキャリーバッグのバッグ本体を折畳み後、収納バッグに収容した状況を示す斜視図である。
【発明を実施するための形態】
【００２３】
以下、本発明を図示の実施形態について説明すると、図１乃至図１２において１はキャリーバッグで、縦長の箱形のバッグ本体２を備えている。
前記バッグ本体２は、前面部の開口部３に縦長矩形の蓋体４が開閉可能に取付けられ、その左右の環状の開口部５，６に細長矩形の側面部である側面板７，８が開閉可能に取付けられている。また、前記バッグ本体２の上部に横長矩形の上面部９が設けられ、該上面部９に手掛け１０と伸縮可能なハンドル１１が取付けられている。
【００２４】
前記バッグ本体２の底部に横長矩形の底面部１２が設けられ、該底面部１２の後端部に左右一対のキャスター１３が回転自在に取付けられ、その中間部の前面部寄りに樹脂製の脚１４，１４が左右に突設され、該脚１４，１４の先端部をキャスター１３の走行面と同高位置に配置している。
前記バッグ本体２の背面に縦長矩形の背面部１５が設けられ、該背面部１５は内部に略同形の合成樹脂製の背面板２８が埋設され、その上部にハンドル１１を収容可能な後述の凹部が形成されている。そして、前記凹部の直下に略山形の樹脂製の係止突起１６，１６が左右に突設され、該突起１６，１６の先端部をキャスター１３の走行面と同高に配置している。
【００２５】
前記蓋体４は柔軟な連結片１７を介して開口部３の片側周縁に接続され、該連結片１７を除く開口部３の周縁にファスナー１８ａが取付けられ、また連結片１７を除く蓋体４の端部周縁にファスナー１８ｂが取付けられ、これらのファスナー１８ａ，１８ｂを二つのファスナータブ１９，１９を介して連結または切り離し可能にしている。
前記蓋体４の下側半部に矩形のポケット２０が設けられ、その上側の開口縁にファスナー(図示略)が取付けられ、そのファスナータブ２１を介してポケット２０を開閉可能にしている。図中、２２は前記ファスナー(図示略)を隠蔽するバイザ−片である。
【００２６】
前記開口部５の背面側を除く開口縁にファスナー２３ａが取付けられ、また側面板７の背面側を除く開口縁にファスナー２３ｂが取付けられ、これらのファスナー２３ａ，２３ｂをファスナータブ２４を介して連結または切離可能にしている。
前記開口部６の背面側を除く開口縁にファスナー２５ａが取付けられ、また側面板８の背面側を除く開口縁にファスナー２５ｂが取付けられ、これらのファスナー２５ａ，２５ｂをファスナータブ２６を介して連結または切り離し可能にしている。
この場合、実施形態ではファスナータブ２４，２６をバッグ本体２の内側に取付けているが、外側に取付けても良く、そのようにすればバッグ本体２の外側から側面板７，８を容易に開閉できる。
【００２７】
前記連結片１７の裏面に前記ファスナー２３ａが延長して配置され、開口部５の背面側を除く開口縁にファスナー２３ａをリング状に配置している。
前記ファスナー２３ａとファスナー１８ｂは、前記連結片１７と対向する開口部５の周縁と、開口部６の周縁を形成する柔軟な端切れ状の連結片３２の両側に配置され、該連結片３２をファスナー２３ａ，ファスナー１８ｂの各ファスナー布の一端を縫着して形成している。
【００２８】
前記底面部１２の内部に横長矩形の合成樹脂製の補強板２７と、前記背面板２８の一端部を湾曲形成した湾曲部２８ａが収容され、それらの端部は若干離間して対向配置され、この対向部を被覆する表地を折曲げ線２９に底面部１２を内側へ折曲可能にしている。
また、前記上面部９の内部に横長矩形の合成樹脂製の補強板３０と、前記背面板２８の他端部を湾曲形成した湾曲部２８ｂが収容され、それらの端部は若干離間して対向配置され、この対向部を被覆する表地を折曲げ線３１に上面部９を内側へ折曲可能にしている。
【００２９】
前記ハンドル１１は逆Ｕ字形状に形成され、その両側に第１および第２パイプ３３，３４が伸縮可能に接続され、これらは不使用時に縮小して背面部１５の内側に設けた一対の鞘管３５，３５に挿入されている。
図中、３６は背面部１５の内側に設けた裏地で、その中央部をファスナー３７を介して開閉可能にされ、該裏地３６の内側に前記鞘管３５，３５が配置されている。
図中、３８は裏地３６に取付けられたリング状の係止具、３９，４０は緊縛ベルトで、バッグ本体２内の収容物（図示略）を保持可能にしている。
【００３０】
前記蓋体４と側面板７，８の周囲に合成樹脂製のリブ４１，４２，４３が配置され、蓋体４と側面板７，８の周囲を保護して擦過を防止するとともに、端部の体裁を改善している。
前記リブ４１〜４３は蓋体４、側面板７，８の外形と略同形の矩形に形成され、その断面は略鍵孔状に形成され、その一端の円形部を外側に配置し、他端の直線状部を内側に突出して配置し、この突出部をカバー４４〜４６で被覆して、各蓋体４と側面板７，８の内側周囲に起立壁を形成し、周囲の形崩れを防止して閉塞時の密閉性を向上するようにしている。
【００３１】
この他、図中、４７は不使用時のキャリーバッグ１を収容する収納バッグで、該バッグ４７は柔軟な合成繊維を袋状に縫着し、その開口部にファスナーを取付けて開閉可能にしている。
図中、４８は手掛け部、４９はバッグ本体２の背面側と接地面との間に形成される空隙、５０は背面部１５の上部に形成した凹部で、ハンドル１１を収容可能にしている。
【００３２】
このように構成したキャリーバッグは、使用に際して収納バッグ４７から取り出し、折り畳んだ各部材を組立ててバッグ本体２を箱形に形成する。
すなわち、上面部９の前面部側の一側を折曲げ線３１に沿って起立し、手掛け１０を上向きに位置付け、また底面部１２の前面部側の一側を折曲げ線２９に沿って起立し、脚１４，１４を下向きに位置付ける。
【００３３】
この後、ファスナー２３ｂ，２３ａおよびファスナー２５ｂ，２５ａを介して、左右の側面板７，８を開口部５，６に取付け、該開口部５，６を閉塞するとともに、ファスナー１８ｂ，１８ａを介して蓋体４を前面部の開口部３に取付け、該開口部３を閉塞する。こうして組立てたバッグ本体２は図１、図３乃至図７のようである。
【００３４】
その際、第１および第２パイプ３３，３４は縮小されてバッグ本体２内に収容され、またハンドル１１は上面部９の凹部に収容されている。したがって、前記パイプ３３，３４の露出やハンドル１１の突出を免れ、バッグ本体２の体裁が整然と形成される。
【００３５】
このように本発明のバッグ本体２の組立は各部位の折り曲げと、各ファスナー２３ｂ，２３ａ、２５ｂ，２５ａ、１８ｂ，１８ａの開閉操作によって容易かつ速やかに行なえる
したがって、従来のように各種のプレートをバッグ本体に取付け、またバッグ本体内に折り畳んだプレートを倒して底面に敷設する等の煩雑な作業を要しない。
【００３６】
次に、こうして組立てたバッグ本体２に収容物を収納する場合は、バッグ本体２を倒して背面側を床面等の接地面上に水平に設置する。
このようにすると、一対の係止突起１６とキャスター１３が接地面上に接触し、背面側が接地面から空隙４９分離間するから、背面側と接地面との接触を免れ、背面側の汚損や漏水を回避し得る。この状況は図５（ａ）のようである。
【００３７】
この後、ファスナータブ１９を操作して蓋体４を開放し、開口部３を介して収容物をバッグ本体２内に収納する。その際、適宜係止具３８や緊縛ベルト３９，４０を使用して収容物を保持する。
収容物の収納後、蓋体４を開口部３に位置付け、ファスナータブ１９を操作して開口部３を閉塞する。また、必要に応じてファスナータブ２１を操作し、蓋体４の前面部のポケット２０を開口して収容物を収納する。
【００３８】
こうしてバッグ本体２に収容物を収納後、これを移動する場合はバッグ本体２を引き起こし、底面部１２を下位にして立位姿勢を形成し、一対の脚１４とキャスター１３を床面等の接地面に接触させる。
この後、ハンドル１１を引き上げ、第１および第２パイプ３３，３４を引き伸ばす。この状況は図２（ａ），（ｂ）のようである。
この後、ハンドル１１を保持して第１および第２パイプ３３，３４を背面後方に倒し、これらの斜状姿勢を保持して引き動かす。このようにすると、脚１４が接地面から離間し、一対のキャスター１３が接地面に接触して引き方向に走行する。
【００３９】
そして、キャリーバッグ１を所定位置へ移動後、バッグ本体２に収納した収容物を取り出す場合は、ハンドル１１を押し下げ、第１および第２パイプ３３，３４を縮小する。
この後、前記収容物の収納と同様にバッグ本体２の背面側を床面等の接地面から離間して水平に設置し、ファスナータブ１９を操作して蓋体４を開放し、開口部３からバッグ本体２内の収容物を取り出す。
【００４０】
その際、係止具３８や緊縛ベルト３９，４０を取外し、収容物を取り出し後、ファスナータブ１９を操作して蓋体４を介し開口部３を閉塞する。
また、必要に応じてファスナータブ２１を操作し、蓋体４の前面部のポケット２０を開口して収容物を取り出す。
【００４１】
こうしてバッグ本体２から収容物を取り出し後、空状態ないし不使用のキャリーバッグ１を持ち運び若しくは保管する際、バッグ本体２の各部を折り畳んでコンパクトに形成する。
この場合は、前述した蓋体４の開放状態を維持し、バッグ本体２の内側からファスナータブ２４を操作し、背面側を除くファスナー２３ａ，２３ｂの接続を解除して、側面板７を外側に展開し開口部５を開放する。
同様にバッグ本体２の内側からファスナータブ２６を操作し、背面側を除くファスナー２５ａ，２５ｂの接続を解除して、側面板８を外側に展開し開口部６を開放する。
【００４２】
このようにすると、ファスナー２３ａ，２３ｂが切り離され、蓋体４を接続した連結片１７がファスナー１８ａに両端部を支持されて揺動自在に保持される。
そして、蓋体４の開放下でファスナー２５ａ，２５ｂが切り離されると、連結片３２は端切れ状に形成されて開口部３の一側に揺動自在に支持される。この状況は図８のようである。
【００４３】
この後、側面板７を背面側を中心に内側に折り曲げ、その他端を連結片１７の下側縁部を潜り抜けして、バッグ本体２の内側に折り畳む。
その際、連結片１７は前述のように揺動自在に支持されているから、側面板７の折り曲げ変位に自在に変位させることで、側面板７を円滑かつ容易に折り畳める。
【００４４】
同様に他方の側面板８を背面側を中心に内側に折り曲げ、その他端を連結片３２の下側縁部を潜り抜けして、バッグ本体２の内側に折り畳む。
その際、連結片３２は前述のように揺動自在に支持されているから、側面板８の折り曲げ変位に自在に変位させて円滑かつ容易に折り畳める。
【００４５】
この後、上面部９の前面部側の一側を折曲げ線３１に沿って内側に折り曲げ、また底面部１２の前面部側の一側を折曲げ線２９に沿って内側に折り曲げ、これらを前記折り畳んだ側面板７，８の端部上に重合する。この状況は図１１のようである。
この後、蓋体４を折畳んで上面部９および底面部１２の前面部側の各一側上に重合し、開口部３を閉塞する。
したがって、バッグ本体２は上面部９および底面部１２の前面部側の各一側の折り曲げ分、薄厚に折り畳まれる。
【００４６】
このように本発明のキャリーバッグ１は、両側面板７，８を外側に展開後、内側に折り畳んでバッグ本体２内に収容し、この後、上面部９および底面部１２の前面部側の各一側を折曲げ線３１，２９に沿って内側に折り曲げ、蓋体４を折畳んで開口部３の周縁に重合する簡便な作業であるから、これを容易かつ速やかに行なえる。
しかも、底面部１２の前面部側の一側を折曲げることによって、脚１４，１４をバッグ本体２側へ自然に移動させて底面部１２のコンパクト化を図れる。
したがって、従来のようにバッグ本体から種々のプレートを取り出し、また底面の内側に敷設したプレートを起立して脚をバッグ本体内に収容する煩雑な作業から解消される。
【００４７】
こうしてバッグ本体２をコンパクトに折畳み後、これを予め用意して置いた収納バッグ４７に収容し、その手掛け部４８を保持して持ち運ぶ。
【産業上の利用可能性】
【００４８】
このように本発明のキャリ−バッグは、バッグ本体の両側面部を上下面部と着脱可能に接続し、両側面部をコンパクトかつ容易に折り畳めるとともに、これに上下面部をコンパクトに重合して、折畳み後のコンパクト化と体裁の改善を図れ、不使用時の利便性を向上するようにしている。
【符号の説明】
【００４９】
１            キャリーバッグ
２            バッグ本体
３            開口部
４            蓋体
５，６        開口部
７，８        側面部（側面板）
９            上面部
１１          ハンドル
１２          底面部
【００５０】
１３          キャスター
１４          脚
１６          係止突起
１７，３２    連結片
２３ａ        ファスナー
２５ａ        ファスナー
２９，３１    折曲げ線
５０          凹部
【図１】
2015136472.tif 000003
【図２】
2015136472.tif 000004
【図３】
2015136472.tif 000005
【図４】
2015136472.tif 000006
【図５】
2015136472.tif 000007
【図６】
2015136472.tif 000008
【図７】
2015136472.tif 000009
【図８】
2015136472.tif 000010
【図９】
2015136472.tif 000011
【図１０】
2015136472.tif 000012
【図１１】
2015136472.tif 000013
【図１２】
2015136472.tif 000014